【事件の表示】
　平成　８年特許願第１１４８３１号「表示装置および該表示装置の駆動方法並びに駆動回路」拒絶査定不服審判事件〔平成　９年１１月２８日出願公開、特開平　９−３０７８３９〕について、次のとおり審決する。
【結　論】
　本件審判の請求は、成り立たない。
【理　由】
１．手続きの経緯、本願発明
　本願は、平成８年５月９日の出願であって、その特許請求の範囲の請求項１ないし３７に係る各発明は、平成１５年７月７日付けの手続補正書により補正された明細書および図面の記載からみて、上記各請求項１ないし３７にそれぞれ記載されたとおりのものと認められるところ、請求項５に係る発明（以下「本願発明」という。）は請求項４を引用する形式で記載された発明であって、次のとおりのものである。
「【請求項４】第１の縦横比を有する表示パネルに対して、該第１の縦横比よりも縦方向の比率が大きい第２の縦横比の画像を表示可能とする表示装置であって、
　前記表示パネルの表示ラインを順次選択するゲートドライバと、
　１ライン分のデータを蓄えて前記ゲートドライバにより選択されたラインへ順次データを供給するデータドライバと、
　前記ゲートドライバおよびデータドライバに制御信号を供給し、水平ブランキング期間に所定のデータを書き込み、前記表示パネルの左右両端の表示データ不足領域に所定の表示を行うように制御するタイミング制御回路とを具備することを特徴とする表示装置。
【請求項５】前記水平ブランキング期間に所定のデータを書き込むクロック信号の周波数を表示時のクロック信号の周波数よりも大きくなるようにしたことを特徴とする請求項４の表示装置。」
　
２．引用例
　これに対して、原査定の拒絶理由に引用された特開平５−８３６５８号公報（以下「引用例」という。）には、名称を「液晶表示装置」とする発明について、次のことが記載されている。
（ａ）マトリックス配置された液晶表示素子によりハイビジョン方式のテレビジョン信号を表示する液晶表示デバイスを備えた液晶表示装置において、NTSC方式のテレビジョン信号の１フィールド分の各走査線の映像信号の有効表示期間の信号を順次前記液晶表示デバイスの４ラインに同時に書込むか、または倍速変換されたNTSC方式のテレビジョン信号の 525本の各走査線の有効表示期間の信号を順次前記液晶表示デバイスの２ラインに同時に書込む行ドライバと、各ラインの映像信号の有効表示期間の前後の期間を有効表示期間内よりも周波数が高いクロックを使用して映像信号の有効表示部分が画面の中央に表示されるように書込む列ドライバとを備えたことを特徴とする液晶表示装置（特許請求の範囲の請求項１）。
（ｂ）図２において、参照符号１は液晶表示デバイス，2Oは奇数行用行ドライバ, 2Eは偶数行用行ドライバ, 3Oは奇数列用の列ドライバ, 3Eは偶数列用の列ドライバである。なお、奇数列用の列ドライバ3Oはシフトレジスタ3Oa とサンプルホールド回路3Ob とで構成されており、偶数列用の列ドライバ3Eはシフトレジスタ3Eaとサンプルホールド回路3Eb とで構成されている。
   RGBは表示されるべき映像信号のR.G.B.信号であり、偶数列用の列ドライバ3Eのサンプルホールド回路3Eb と奇数列用の列ドライバ3Oのサンプルホールド回路3Ob とに入力されている。
  CKH1とCKH3とはいずれも奇数列用の列ドライバ3Oのシフトレジスタ3Oa のシフトクロック、CKH2とCKH4とはいずれも偶数列用の列ドライバ3Eのシフトレジスタ3Ea のシフトクロック、 STHは両シフトレジスタ3Ea, 3Oaによるサンプルホールドのスタートパルス、STV1は奇数行用行ドライバ2Oのスタートパルス、STV2は偶数行用行ドライバ2Eのスタートパルス、 CKVは両行ドライバ2O, 2Eのシフトレジスタのシフトクロックである（第４頁左欄２３行ないし４１行）。
（ｃ）液晶表示デバイス１はハイビジョン方式のテレビジョン信号（以下、ハイビジョン信号という）の表示が可能なように、1024行×1440列にマトリックス状に配列された複数の液晶画素にて構成され、それぞれの液晶画素は従来例と同様にスイッチトランジスタと液晶素子とからなる。
　両行ドライバ2O, 2Eは液晶表示デバイス１の１行おきの各行それぞれの液晶画素に接続されている。具体的には、二つの行ドライバ2O, 2Eの液晶表示デバイス１の各行との接続関係を示す図３の模式図に示されているように、奇数行用行ドライバ2Oには奇数行用のゲート線G1, G3…G1023 が接続され、偶数行用行ドライバ2Eには偶数行のゲート線G2, G4…G1024 が接続されている。そして、両行ドライバ2O, 2EはそれぞれのスタートパルスSTV1, STV2をシフトレジスタのシフトクロックCKV で順にシフトし、液晶画素の１行を１行おきに順次１本ずつ選択する。
　両列ドライバ3O, 3Eはそれぞれシフトレジスタ3Oa, 3EaでスタートパルスSTHをシフトクロックCKH1, CKH2, CKH3, CKH4で順にシフトしてそれぞれサンプルホールド回路3Ob, 3Ebに与えている。両サンプルホールド回路3Ob, 3Ebではそれぞれ、シフトレジスタ3Oa, 3Eaからのクロック信号に応答して映像RGB 信号をサンプリングし且つ保持する（第４頁左欄４２行ないし右欄１５行）。
（ｄ）これらの動作により液晶表示デバイス１で画像が再生される。ハイビジョン用の液晶表示デバイス１として、1024×1440の画素を有する液晶デバイスを使用する場合について以下に説明する。
  ハイビジョン方式のアスペクト比は16:9であり、これを表示するための液晶表示デバイス１も16:9のアスペクト比に構成されている。このような液晶表示デバイス１にアスペクト比が4:3 のNTSC方式のテレビジョン信号（以下、NTSC信号という）をそのまま表示すると、図４(a) に示されているようなNTSC信号ではテレビジョン画面SC1 上に正しく表示される真円が図４(b) に示されているようにハイビジョン信号のテレビジョン画面SC2 上では横長に歪んで表示される。NTSC信号で真円に表示される映像信号をハイビジョン信号でも真円に表示するには、図５に示されているように、ハイビジョン信号のテレビジョン画面SC2 上でその1440画素の水平画素の内の垂直ライン数1440本に対してアスペクト比の釣合いがとれる画素数、即ち1080画素を表示範囲とし、残りの 360画素を表示範囲の両側に180画素ずつ振り分けてサイドパネル部とする（第４頁右欄１６行ないし３５行）。
（ｅ）このような表示を行うための水平方向の各ドライバ20, 2Eの動作状態を示すタイミングチャートの一例を図６に示す。
  NTSC信号の各水平走査線における有効表示期間を52μs とすると、この有効表示期間の映像信号を液晶表示デバイス１の表示範囲に書込むためには、有効表示期間外の期間、即ち行ドライバのシフトクロックCKH1, CKH2, CKH3, CKH4の図６の期間Pa, Pbに相当する部分を表示範囲よりも高い周波数にする。この図４の期間Pa, Pbの部分が図５のサイドパネル部分に相当する。この期間Pa, Pbの部分は映像信号のフロントポーチ及びバックポーチにそれぞれ相当し、信号レベルはペデスタルレベルであるので、一定のレベルの信号が液晶表示デバイス１に書き込まれる。
  次に、垂直方向の各ドライバ3O, 3Eのタイミングチャートの一例を図７に示す。
  垂直方向には、１フィールドの走査線数 262.5本の内の 256本を有効表示期間とし、液晶表示デバイス１の奇数行用行ドライバ2O及び偶数行用行ドライバ2Eに対して独立のタイミングでスタートパルスSTV1, STV2と、シフトクロックCKV とを与え、更にシフトクロックを１水平走査期間に２パルスとすることにより、液晶画素の４行に同一の信号を書込み、走査線数をハイビジョン方式のそれに一致させる（第４頁右欄３６行ないし第５頁左欄９行）。
　
３．対比
　本願発明と引用例に記載された発明（以下「引用発明」という。）とを対比すると、次のことが認められる。
（イ）引用発明が対象とする「表示装置」は、引用例の前記記載（ａ）、（ｄ）によれば、アスペクト比が１６：９で構成されている液晶表示デバイス１にアスペクト比が４：３のＮＴＳＣ方式のテレビジョン信号を表示可能とするものであり、本願発明が対象とする「第１の縦横比を有する表示パネルに対して、該第１の縦横比よりも縦方向の比率が大きい第２の縦横比の画像を表示可能とする表示装置」と格別変わりがないものであることは明らかである。
（ロ）引用例の前記記載（ｂ）、（ｃ）によれば、引用発明は、奇数行用行ドライバ２Ｏ及び偶数行用行ドライバ２Ｅ（本願発明でいうゲートドライバ）はスタートパルスＳＴＶ１、ＳＴＶ２をシフトレジスタのシフトクロックＣＫＶで順次シフトし、液晶画素の行を順次選択し、列ドライバ３Ｏ、３Ｅ（本願発明でいうデータドライバ）はそのサンプルホールド回路３Ｏｂ、３Ｅｂで映像信号をサンプリング、保持し、前記行ドライバ２Ｏ、２Ｅで選択された行へ順次供給するものであることからすると、引用発明も、本願発明と同様「表示パネルの表示ラインを順次選択するゲートドライバと、１ライン分のデータを蓄えて前記ゲートドライバにより選択されたラインへ順次データを供給するデータドライバ」を具備するものであるといえる。
（ハ）引用例の前記記載（ｂ）、（ｃ）によれば、引用発明では、行ドライバ２Ｏ、２Ｅ、列ドライバ３Ｏ、３Ｅにシフトクロック、スタートパルス（本願発明でいう制御信号）が供給され、表示制御が行われていることからすると、引用発明が前記各ドライバにシフトクロック、スタートパルスを供給する制御回路を具備することは明らかであり、また、引用例の前記記載（ｄ）、（ｅ）によれば、引用発明は、表示デバイス１の左右両端のサイドパネル部（本願発明でいう表示パネルの左右両端の表示データ不足領域）に所定の表示を行うために、ＮＴＳＣ方式のテレビジョン信号の水平走査線における有効表示期間外の期間（期間Ｐａ、Ｐｂ）に、列ドライバのシフトクロックＣＫＨ１〜ＣＫＨ４（本願発明でいうクロック信号）の周波数を表示範囲のシフトクロックの周波数よりも高くして、一定のレベル（ペデスタルレベル）の信号を液晶表示デバイス１に書き込んでいる。
　そうすると、引用発明は、本願発明と同様「ゲートドライバおよびデータドライバに制御信号を供給し、水平走査線における有効表示期間外の期間に所定のデータを書き込み、表示パネルの左右両端の表示データ不足領域に所定の表示を行うように制御するタイミング制御回路とを具備し、前記水平走査線における有効表示期間外の期間に所定のデータを書き込むクロック信号の周波数を表示時のクロック信号の周波数よりも大きくなるようにした」ものといえる。
　もっとも、本願発明は、前記水平走査線における有効表示期間外の期間を水平ブランキング期間としているが、引用発明では、水平走査線の映像信号の有効表示期間の前後の期間（フロントポーチ及びバックポーチに相当する期間）としている。
　
　以上の対比結果によれば、本願発明と引用発明との一致点および相違点は次のとおりであると認めることができる。
【一致点】両者はいずれも、
「第１の縦横比を有する表示パネルに対して、該第１の縦横比よりも縦方向の比率が大きい第２の縦横比の画像を表示可能とする表示装置であって、
　前記表示パネルの表示ラインを順次選択するゲートドライバと、
　１ライン分のデータを蓄えて前記ゲートドライバにより選択されたラインへ順次データを供給するデータドライバと、
　前記ゲートドライバおよびデータドライバに制御信号を供給し、水平走査線における有効表示期間外の期間に所定のデータを書き込み、前記表示パネルの左右両端の表示データ不足領域に所定の表示を行うように制御するタイミング制御回路とを具備することを特徴とする表示装置において、前記水平走査線における有効表示期間外の期間に所定のデータを書き込むクロック信号の周波数を表示時のクロック信号の周波数よりも大きくなるようにしたことを特徴とする表示装置。」
であるといえる点。
【相違点】
  本願発明では、前記水平走査線における有効表示期間外の期間が「水平ブランキング期間」であるのに対し、引用発明では、水平走査線における映像信号の有効表示期間の前後の期間（フロントポーチ及びバックポーチに相当する期間）としている点。
　
４．判断
　そこで、上記相違点について検討すると、引用発明において表示装置に表示されるＮＴＳＣ方式のテレビジョン信号は、水平走査線の映像信号の表示期間（水平走査期間）外の期間に、水平帰線消去期間すなわち水平ブランキング期間を含む信号であること、また、当該水平ブランキング期間にはフロントポーチ及びバックポーチが含まれることは周知の事項であることからすると、引用発明において、水平走査線における有効表示期間外の期間を水平ブランキング期間とすることは、当業者が適宜なし得ることであると認められる。
　そして、上記相違点に基づく本願発明の効果についてみても、格別顕著なものがあるとは認められない。
　
５．むすび
　以上のとおりであるから、本願の請求項５に係る発明は、引用例に記載された発明及び周知の事項に基づいて当業者が容易に発明をすることができたものであり、特許法第２９条第２項の規定により特許を受けることができない。
　したがって、本願の請求項１ないし４、６ないし３７に係る発明について検討するまでもなく、本願は拒絶されるべきものである。
　よって、結論のとおり審決する。